(57)【要約】【課題】本発明は電気スタンド工芸品を開示した。【解決手段】ベースを含み、前記ベースの中には回転チャンバが設置され、前記回転チャンバの中には回転柱が回転できるように設置され、前記回転チャンバの右側には駆動装置が設置され、前記回転柱の右側面が前記駆動装置と噛み合っており、前記回転柱の中には昇降チャンバが設置され、前記昇降チャンバの下側壁の中には下端が前記駆動装置と動力が伝達できるように連結したネジ軸が回転できるように設置され、本発明は構成が簡単で、操作が便利であり、照明ライトが上昇と回転することができ、照明ライトの外側の蝶番は照明ライトを囲む又は広げることができ、そのほか、工芸品電気スタンドの外周にはアロマ装置が設置され、照明ライトが回転する過程において、香りを発散することができ、本電気スタンドが多機能を持ち、形が特別で、工芸の観賞性と実用性とを持つ。【選択図】図１
2020184508.tif 000002
【特許請求の範囲】
【請求項１】
正面視で、ベースを含み、前記ベースの中には回転チャンバが設置され、前記回転チャンバの中には回転柱が回転できるように設置され、前記回転チャンバの右側には駆動装置が設置され、前記回転柱の右側面が前記駆動装置と噛み合っており、前記回転柱の中には昇降チャンバが設置され、前記昇降チャンバの下側壁の中には下端が前記駆動装置と動力が伝達できるように連結したネジ軸が回転できるように設置され、前記ネジ軸の頂端が前記昇降チャンバの中に伸びており、且つ前記ネジ軸の頂端には昇降柱がネジ山によって連結され、前記昇降柱の頂部端面が外部空間に伸びており、且つ前記昇降柱の頂部端面には照明ライトが取り付けられ、前記照明ライトの下側には導電線が通電できるように連結され、前記昇降柱の頂部端面にはいずれも四つの開き溝が設置され、前記開き溝の中には蝶番が回転できるように取り付けられ、前記蝶番はオジギソウの枝葉のような形であり、前記蝶番と前記開き溝との間にはトーションバネが固定的に設置され、前記蝶番の頂端には揺れ動くことができるリボンが巻き付いており、前記昇降チャンバの左右側には位置制限溝が連通するように設置され、前記昇降柱の左右端には前記位置制限溝の中でスライドできる位置制限ブロックが固定的に設置され、前記ベースの左側面の中には電気貯蔵ブロックが設置され、前記導電線の下端が左側の前記位置制限ブロックと通電できるように連結され、また左側の前記位置制限ブロックが前記電気貯蔵ブロックと通電できることによって、前記導電線の下端が前記電気貯蔵ブロックと通電でき、前記電気貯蔵ブロックの上側には通電装置が設置され、前記通電装置の上側には環状のアロマチャンバが設置され、前記アロマチャンバの下側壁の中には環状の隔て板が固定的に設置され、前記隔て板の下側には環状の加熱板が取り付けられ、前記加熱板の下側には前記通電装置と通電できるように連結された導電ブロックが取り付けられ、前記電気貯蔵ブロックは前記照明ライトと前記加熱板とに給電し、前記ベースの右側面の中には指示装置が設置され、前記指示装置は前記電気貯蔵ブロックの給電状態を示すことができ、前記アロマチャンバと外部空間との間には四つの抜き穴が連通するように設置され、前記抜き穴が前記蝶番の位置と対応しており、前記抜き穴の上側には四つの圧力かけ装置が設置され、前記圧力かけ装置は前記抜き穴４５を開ける又は閉めることができ、前記昇降柱が前記照明ライトを回転連動させ、前記電気貯蔵ブロックが前記加熱板に給電する時、前記アロマチャンバの中のアロマが前記昇降柱の回転とともに漂い、前記リボンの揺れがアロマの発散を増加できることを特徴とする電気スタンド工芸品。
【請求項２】
前記駆動装置は前記回転チャンバと連通している回転溝を含み、前記回転溝の上端壁の中にはモーターが固定的に設置され、前記回転溝の中には回転ギヤが回転軸によって回転できるように設置され、前記回転ギヤが前記回転柱と噛み合っており、前記回転軸の上端が前記モーターに動力が伝達できるように連結され、前記回転溝の下側には噛み合いチャンバが設置され、前記回転軸の下端が前記噛み合いチャンバの中に伸びており、且つ前記回転軸の下端には主動ギヤが固定的に設置され、前記主動ギヤの左側には従動ギヤが設置され、前記ネジ軸の下端が前記噛み合いチャンバの中に伸びており、且つ前記従動ギヤと固定的に連結され、前記噛み合いチャンバの下側面の中には推し溝が連通するように設置され、前記推し溝の中には推しブロックがスライドできるように取り付けられ、前記推しブロックには伝動ギヤが回転できるように設置され、前記伝動ギヤが前記従動ギヤと前記主動ギヤと噛み合うことができ、前記推し溝の右側には回し溝が外部空間と連通するように設置され、前記回し溝の中には左端が前記推しブロックとヒンジで連結した回しロッドが回転できるように取り付けられ、前記回しロッドの右端が外部空間に伸びており、前記回しロッドを下方に押すことによって前記推しブロックが上昇し、前記伝動ギヤが前記従動ギヤと前記主動ギヤと噛み合うように連結され、それによって前記モーターが前記昇降柱の回転と上昇とを同時に駆動することを特徴とする請求項１に記載の電気スタンド工芸品。
【請求項３】
前記通電装置は前記電気貯蔵ブロックと左側の前記位置制限溝との間にスライドできるように取り付けられた当接電気ブロックを含み、前記当接電気ブロックの上側面には前記当接電気ブロックを復帰させることができる第一復帰部品が固定的に設置され、左側の前記位置制限溝の上端面の中には押し溝が連通するように設置され、前記押し溝の中には押しブロックがスライドできるように取り付けられ、前記押しブロックの左側面には前記押しブロックを復帰させることができる第二復帰部品が固定的に設置され、前記押し溝の左端壁の中には連通溝が連通するように設置され、前記連通溝の中には連結ブロックがスライドできるように設置され、前記連結ブロックの右端が前記押しブロックの頂端と当接しており、前記連結ブロックの上端面には前記連結ブロックを復帰させることができる第三復帰部品が固定的に設置され、前記連結ブロックの左端には前記導電ブロックと通電できるように連結された通電ブロックが固定的に設置され、前記通電ブロックと前記電気貯蔵ブロックには通電線が通電できるように連結され、前記当接電気ブロックと前記押しブロックとの間の鉛直距離は前記位置制限ブロックの高さより小さく、前記当接電気ブロックと前記押し溝の下端との間の距離は前記位置制限ブロックの高さより大きく、それによって前記位置制限ブロックが単独に前記当接電気ブロック又は前記押しブロックと当接でき、それによって前記照明ライトが光ることと前記加熱板がアロマを加熱して香りを発散させることとが別々に行われ、そのほか、前記位置制限ブロックがまた前記当接電気ブロックと前記押しブロックと同時に当接でき、それによって前記照明ライトの照明と前記アロマチャンバのアロマとを同期に操作することを特徴とする請求項１に記載の電気スタンド工芸品。
【請求項４】
前記指示装置は右側の前記位置制限溝と連通している二つのスライド溝を含み、前記スライド溝の中にはスライドブロックがスライドできるように設置され、前記スライドブロックの右側面の中には凹溝が設置され、前記凹溝の中には圧縮バネが固定的に設置され、前記スライドブロックの右側には表示灯が取り付けられ、上側の前記表示灯が光ると、前記照明ライトが作動していることを示し、下側の前記表示灯が光ると、前記加熱板が作動してアロマを加熱していることを示し、二つの前記表示灯が一緒に光ると、前記照明ライトが前記加熱板２７と同期に作動していることを示すことを特徴とする請求項１に記載の電気スタンド工芸品。
【請求項５】
前記圧力かけ装置は前記抜き穴と連通している押しチャンバを含み、前記押しチャンバの中には前記抜き穴を開ける又は閉めることができる閉鎖板がスライドできるように取り付けられ、前記押しチャンバの中には回転ロッドが回転できるように取り付けられ、前記回転ロッドのうち前記昇降チャンバから離れている一端が前記閉鎖板の頂端とヒンジで連結され、前記回転ロッドのもう一端には押しロッドがヒンジで取り付けられ、前記押しロッドの底端と前記押しチャンバとの間には回転バネが固定的設置され、前記押しロッドの頂端が外部空間に伸びており、且つ前記蝶番と当接しており、前記蝶番が広がった時、前記押しロッドを下方に押し、それによって前記閉鎖板が前記抜き穴４５を開け、アロマの香りを発散させることができることを特徴とする請求項１に記載の電気スタンド工芸品。
【発明の詳細な説明】
【技術分野】
【０００１】
本発明は工芸品技術分野に関わり、具体的には電気スタンド工芸品である。
【背景技術】
【０００２】
既存の工芸品の電気スタンドは基本的な照明機能を持っており、またきれいな外形があり、しかし、その外形は一般的に固定であり、変えることができなく、そのほか、既存の電気スタンドは機能が単一で、アロマ装置が設置されていなく、したがって、既存技術の電気スタンド工芸品を更に改善する必要があり、それによって電気スタンドの実用性と観賞性を高める。
【先行技術文献】
【特許文献】
【０００３】
【特許文献１】中国特許出願公開第１０３９２５５１０号明細書
【発明の概要】
【発明が解決しようとする課題】
【０００４】
本発明は電気スタンド工芸品を提供し、既存技術にある上記の欠点を解消することを目的とする。
【課題を解決するための手段】
【０００５】
ベースを含み、前記ベースの中には回転チャンバが設置され、前記回転チャンバの中には回転柱が回転できるように設置され、前記回転チャンバの右側には駆動装置が設置され、前記回転柱の右側面が前記駆動装置と噛み合っており、前記回転柱の中には昇降チャンバが設置され、前記昇降チャンバの下側壁の中には下端が前記駆動装置と動力が伝達できるように連結したネジ軸が回転できるように設置され、前記ネジ軸の頂端が前記昇降チャンバの中に伸びており、且つ前記ネジ軸の頂端には昇降柱がネジ山によって連結され、前記昇降柱の頂部端面が外部空間に伸びており、且つ前記昇降柱の頂部端面には照明ライトが取り付けられ、前記照明ライトの下側には導電線が通電できるように連結され、前記昇降柱の頂部端面にはいずれも四つの開き溝が設置され、前記開き溝の中には蝶番が回転できるように取り付けられ、前記蝶番はオジギソウの枝葉のような形であり、前記蝶番と前記開き溝との間にはトーションバネが固定的に設置され、前記蝶番の頂端には揺れ動くことができるリボンが巻き付いており、前記昇降チャンバの左右側には位置制限溝が連通するように設置され、前記昇降柱の左右端には前記位置制限溝の中でスライドできる位置制限ブロックが固定的に設置され、前記ベースの左側面の中には電気貯蔵ブロックが設置され、前記導電線の下端が左側の前記位置制限ブロックと通電できるように連結され、また左側の前記位置制限ブロックが前記電気貯蔵ブロックと通電できることによって、前記導電線の下端が前記電気貯蔵ブロックと通電でき、前記電気貯蔵ブロックの上側には通電装置が設置され、前記通電装置の上側には環状のアロマチャンバが設置され、前記アロマチャンバの下側壁の中には環状の隔て板が固定的に設置され、前記隔て板の下側には環状の加熱板が取り付けられ、前記加熱板の下側には前記通電装置と通電できるように連結された導電ブロックが取り付けられ、前記電気貯蔵ブロックは前記照明ライトと前記加熱板とに給電し、前記ベースの右側面の中には指示装置が設置され、前記指示装置は前記電気貯蔵ブロックの給電状態を示すことができ、前記アロマチャンバと外部空間との間には四つの抜き穴が連通するように設置され、前記抜き穴が前記蝶番の位置と対応しており、前記抜き穴の上側には四つの圧力かけ装置が設置され、前記圧力かけ装置は前記抜き穴を開ける又は閉めることができ、前記昇降柱が前記照明ライトを回転連動させ、前記電気貯蔵ブロックが前記加熱板に給電する時、前記アロマチャンバの中のアロマが前記昇降柱の回転とともに漂い、前記リボンの揺れがアロマの発散を増加できる。
【０００６】
さらなる技術プランには、前記駆動装置は前記回転チャンバと連通している回転溝を含み、前記回転溝の上端壁の中にはモーターが固定的に設置され、前記回転溝の中には回転ギヤが回転軸によって回転できるように設置され、前記回転ギヤが前記回転柱と噛み合っており、前記回転軸の上端が前記モーターに動力が伝達できるように連結され、前記回転溝の下側には噛み合いチャンバが設置され、前記回転軸の下端が前記噛み合いチャンバの中に伸びており、且つ前記回転軸の下端には主動ギヤが固定的に設置され、前記主動ギヤの左側には従動ギヤが設置され、前記ネジ軸の下端が前記噛み合いチャンバの中に伸びており、且つ前記従動ギヤと固定的に連結され、前記噛み合いチャンバの下側面の中には推し溝が連通するように設置され、前記推し溝の中には推しブロックがスライドできるように取り付けられ、前記推しブロックには伝動ギヤが回転できるように設置され、前記伝動ギヤが前記従動ギヤと前記主動ギヤと噛み合うことができ、前記推し溝の右側には回し溝が外部空間と連通するように設置され、前記回し溝の中には左端が前記推しブロックとヒンジで連結した回しロッドが回転できるように取り付けられ、前記回しロッドの右端が外部空間に伸びており、前記回しロッドを下方に押すことによって前記推しブロックが上昇し、前記伝動ギヤが前記従動ギヤと前記主動ギヤと噛み合うように連結され、それによって前記モーターが前記昇降柱の回転と上昇とを同時に駆動する。
【０００７】
さらなる技術プランには、前記通電装置は前記電気貯蔵ブロックと左側の前記位置制限溝との間にスライドできるように取り付けられた当接電気ブロックを含み、前記当接電気ブロックの上側面には前記当接電気ブロックを復帰させることができる第一復帰部品が固定的に設置され、左側の前記位置制限溝の上端面の中には押し溝が連通するように設置され、前記押し溝の中には押しブロックがスライドできるように取り付けられ、前記押しブロックの左側面には前記押しブロックを復帰させることができる第二復帰部品が固定的に設置され、前記押し溝の左端壁の中には連通溝が連通するように設置され、前記連通溝の中には連結ブロックがスライドできるように設置され、前記連結ブロックの右端が前記押しブロックの頂端と当接しており、前記連結ブロックの上端面には前記連結ブロックを復帰させることができる第三復帰部品が固定的に設置され、前記連結ブロックの左端には前記導電ブロックと通電できるように連結された通電ブロックが固定的に設置され、前記通電ブロックと前記電気貯蔵ブロックには通電線が通電できるように連結され、前記当接電気ブロックと前記押しブロックとの間の鉛直距離は前記位置制限ブロックの高さより小さく、前記当接電気ブロックと前記押し溝の下端との間の距離は前記位置制限ブロックの高さより大きく、それによって前記位置制限ブロックが単独に前記当接電気ブロック又は前記押しブロックと当接でき、それによって前記照明ライトが光ることと前記加熱板がアロマを加熱して香りを発散させることとが別々に行われ、そのほか、前記位置制限ブロックがまた前記当接電気ブロックと前記押しブロックと同時にに当接でき、それによって前記照明ライトの照明と前記アロマチャンバのアロマとを同期に操作する。
【０００８】
さらなる技術プランには、前記指示装置は右側の前記位置制限溝と連通している二つのスライド溝を含み、前記スライド溝の中にはスライドブロックがスライドできるように設置され、前記スライドブロックの右側面の中には凹溝が設置され、前記凹溝の中には圧縮バネが固定的に設置され、前記スライドブロックの右側には表示灯が取り付けられ、上側の前記表示灯が光ると、前記照明ライトが作動していることを示し、下側の前記表示灯が光ると、前記加熱板が作動してアロマを加熱していることを示し、二つの前記表示灯が一緒に光ると、前記照明ライトが前記加熱板と同期に作動していることを示す。
【０００９】
さらなる技術プランには、前記圧力かけ装置は前記抜き穴と連通している押しチャンバを含み、前記押しチャンバの中には前記抜き穴を開ける又は閉めることができる閉鎖板がスライドできるように取り付けられ、前記押しチャンバの中には回転ロッドが回転できるように取り付けられ、前記回転ロッドのうち前記昇降チャンバから離れている一端が前記閉鎖板の頂端とヒンジで連結され、前記回転ロッドのもう一端には押しロッドがヒンジで取り付けられ、前記押しロッドの底端と前記押しチャンバとの間には回転バネが固定的設置され、前記押しロッドの頂端が外部空間に伸びており、且つ前記蝶番と当接しており、前記蝶番が広がった時、前記押しロッドを下方に押し、それによって前記閉鎖板が前記抜き穴を開け、アロマの香りを発散させることができる。
【発明の効果】
【００１０】
本発明の有益な効果は：本発明は構成が簡単で、操作が便利であり、照明ライトが上昇と回転することができ、照明ライトの外側の蝶番は照明ライトを囲む又は広げることができ、そのほか、工芸品電気スタンドの外周にはアロマ装置が設置され、照明ライトが回転する過程において、香りを発散することができ、本電気スタンドが多機能を持ち、形が特別で、工芸の観賞性と実用性とを持つ。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の電気スタンド工芸品の内部全体構造略図
【図２】図２は本発明の中の図１の中の「Ａ―Ａ」方向の構造略図
【図３】図３は本発明の中の図１の中の「Ｂ」の拡大構造略図
【図４】図４は本発明の中の図１の中の「Ｃ」の拡大構造略図
【図５】図５は本発明の中の図１の中の「Ｄ」の拡大構造略図
【発明を実施するための形態】
【００１３】
図１〜５を参照し、正面視で下側にはベース１０があり、上側には照明ライト２０がある電気スタンド工芸品は、ベース１０を含み、前記ベース１０の中には回転チャンバ１１が設置され、前記回転チャンバ１１の中には回転柱１２が回転できるように設置され、前記回転チャンバ１１の右側には駆動装置１００が設置され、前記回転柱１２の右側面が前記駆動装置１００と噛み合っており、前記回転柱１２の中には昇降チャンバ１４が設置され、前記昇降チャンバ１４の下側壁の中には下端が前記駆動装置１００と動力が伝達できるように連結したネジ軸１３が回転できるように設置され、前記ネジ軸１３の頂端が前記昇降チャンバ１４の中に伸びており、且つ前記ネジ軸１３の頂端には昇降柱１５がネジ山によって連結され、前記昇降柱１５の頂部端面が外部空間に伸びており、且つ前記昇降柱１５の頂部端面には照明ライト２０が取り付けられ、前記照明ライト２０の下側には導電線１９が通電できるように連結され、前記昇降柱１５の頂部端面にはいずれも四つの開き溝２１が設置され、前記開き溝２１の中には蝶番２２が回転できるように取り付けられ、前記蝶番２２はオジギソウの枝葉のような形であり、前記蝶番２２と前記開き溝２１との間にはトーションバネ２４が固定的に設置され、前記蝶番２２の頂端には揺れ動くことができるリボン２３が巻き付いており、前記昇降チャンバ１４の左右側には位置制限溝１８が連通するように設置され、前記昇降柱１５の左右端には前記位置制限溝１８の中でスライドできる位置制限ブロック１７が固定的に設置され、前記ベース１０の左側面の中には電気貯蔵ブロック３４が設置され、前記導電線１９の下端が左側の前記位置制限ブロック１７と通電できるように連結され、また左側の前記位置制限ブロック１７が前記電気貯蔵ブロック３４と通電できることによって、前記導電線１９の下端が前記電気貯蔵ブロック３４と通電でき、前記電気貯蔵ブロック３４の上側には通電装置２００が設置され、前記通電装置２００の上側には環状のアロマチャンバ２５が設置され、前記アロマチャンバ２５の下側壁の中には環状の隔て板２６が固定的に設置され、前記隔て板２６の下側には環状の加熱板２７が取り付けられ、前記加熱板２７の下側には前記通電装置２００と通電できるように連結された導電ブロック２８が取り付けられ、前記電気貯蔵ブロック３４は前記照明ライト２０と前記加熱板２７とに給電し、前記ベース１０の右側面の中には指示装置３００が設置され、前記指示装置３００は前記電気貯蔵ブロック３４の給電状態を示すことができ、前記アロマチャンバ２５と外部空間との間には四つの抜き穴４５が連通するように設置され、前記抜き穴４５が前記蝶番２２の位置と対応しており、前記抜き穴４５の上側には四つの圧力かけ装置４００が設置され、前記圧力かけ装置４００は前記抜き穴４５を開ける又は閉めることができ、前記昇降柱１５が前記照明ライト２０を回転連動させ、前記電気貯蔵ブロック３４が前記加熱板２７に給電する時、前記アロマチャンバ２５の中のアロマが前記昇降柱１５の回転とともに漂い、前記リボン２３の揺れがアロマの発散を増加できる。
【００１４】
有益なように、前記駆動装置１００は前記回転チャンバ１１と連通している回転溝５０を含み、前記回転溝５０の上端壁の中にはモーター５２が固定的に設置され、前記回転溝５０の中には回転ギヤ５１が回転軸５６によって回転できるように設置され、前記回転ギヤ５１が前記回転柱１２と噛み合っており、前記回転軸５６の上端が前記モーター５２に動力が伝達できるように連結され、前記回転溝５０の下側には噛み合いチャンバ５３が設置され、前記回転軸５６の下端が前記噛み合いチャンバ５３の中に伸びており、且つ前記回転軸５６の下端には主動ギヤ５５が固定的に設置され、前記主動ギヤ５５の左側には従動ギヤ５４が設置され、前記ネジ軸１３の下端が前記噛み合いチャンバ５３の中に伸びており、且つ前記従動ギヤ５４と固定的に連結され、前記噛み合いチャンバ５３の下側面の中には推し溝５７が連通するように設置され、前記推し溝５７の中には推しブロック５８がスライドできるように取り付けられ、前記推しブロック５８には伝動ギヤ５９が回転できるように設置され、前記伝動ギヤ５９が前記従動ギヤ５４と前記主動ギヤ５５と噛み合うことができ、前記推し溝５７の右側には回し溝６０が外部空間と連通するように設置され、前記回し溝６０の中には左端が前記推しブロック５８とヒンジで連結した回しロッド６１が回転できるように取り付けられ、前記回しロッド６１の右端が外部空間に伸びており、前記回しロッド６１を下方に押すことによって前記推しブロック５８が上昇し、前記伝動ギヤ５９が前記従動ギヤ５４と前記主動ギヤ５５と噛み合うように連結され、それによって前記モーター５２が前記昇降柱１５の回転と上昇とを同時に駆動する。
【００１５】
有益なように、前記通電装置２００は前記電気貯蔵ブロック３４と左側の前記位置制限溝１８との間にスライドできるように取り付けられた当接電気ブロック３５を含み、前記当接電気ブロック３５の上側面には前記当接電気ブロック３５を復帰させることができる第一復帰部品３６が固定的に設置され、左側の前記位置制限溝１８の上端面の中には押し溝３７が連通するように設置され、前記押し溝３７の中には押しブロック３８がスライドできるように取り付けられ、前記押しブロック３８の左側面には前記押しブロック３８を復帰させることができる第二復帰部品３９が固定的に設置され、前記押し溝３７の左端壁の中には連通溝２９が連通するように設置され、前記連通溝２９の中には連結ブロック３０がスライドできるように設置され、前記連結ブロック３０の右端が前記押しブロック３８の頂端と当接しており、前記連結ブロック３０の上端面には前記連結ブロック３０を復帰させることができる第三復帰部品３１が固定的に設置され、前記連結ブロック３０の左端には前記導電ブロック２８と通電できるように連結された通電ブロック３２が固定的に設置され、前記通電ブロック３２と前記電気貯蔵ブロック３４には通電線３３が通電できるように連結され、前記当接電気ブロック３５と前記押しブロック３８との間の鉛直距離は前記位置制限ブロック１７の高さより小さく、前記当接電気ブロック３５と前記押し溝３７の下端との間の距離は前記位置制限ブロック１７の高さより大きく、それによって前記位置制限ブロック１７が単独に前記当接電気ブロック３５又は前記押しブロック３８と当接でき、それによって前記照明ライト２０が光ることと前記加熱板２７がアロマを加熱して香りを発散させることとが別々に行われ、そのほか、前記位置制限ブロック１７がまた前記当接電気ブロック３５と前記押しブロック３８と同時に当接でき、それによって前記照明ライト２０の照明と前記アロマチャンバ２５のアロマとを同期に操作する。
【００１６】
有益なように、前記指示装置３００は右側の前記位置制限溝１８と連通している二つのスライド溝４０を含み、前記スライド溝４０の中にはスライドブロック４１がスライドできるように設置され、前記スライドブロック４１の右側面の中には凹溝４２が設置され、前記凹溝４２の中には圧縮バネ４３が固定的に設置され、前記スライドブロック４１の右側には表示灯４４が取り付けられ、上側の前記表示灯４４が光ると、前記照明ライト２０が作動していることを示し、下側の前記表示灯４４が光ると、前記加熱板２７が作動してアロマを加熱していることを示し、二つの前記表示灯４４が一緒に光ると、前記照明ライト２０が前記加熱板２７と同期に作動していることを示す。
【００１７】
有益なように、前記圧力かけ装置４００は前記抜き穴４５と連通している押しチャンバ４６を含み、前記押しチャンバ４６の中には前記抜き穴４５を開ける又は閉めることができる閉鎖板４７がスライドできるように取り付けられ、前記押しチャンバ４６の中には回転ロッド４８が回転できるように取り付けられ、前記回転ロッド４８のうち前記昇降チャンバ１４から離れている一端が前記閉鎖板４７の頂端とヒンジで連結され、前記回転ロッド４８のもう一端には押しロッド４９がヒンジで取り付けられ、前記押しロッド４９の底端と前記押しチャンバ４６との間には回転バネ７０が固定的設置され、前記押しロッド４９の頂端が外部空間に伸びており、且つ前記蝶番２２と当接しており、前記蝶番２２が広がった時、前記押しロッド４９を下方に押し、それによって前記閉鎖板４７が前記抜き穴４５を開け、アロマの香りを発散させることができる。
【００１８】
初期状態の時、蝶番２２の羽が近づいて閉まって照明ライト２０を囲み、昇降柱１５の頂端が昇降チャンバ１４の中に収縮し、閉鎖板４７が抜き穴４５を閉鎖し、トーションバネ２４が圧縮状態にしており、アロマチャンバ２５の中にエッセンスが添加された浄水を加えた。
【００１９】
本装置が作動する時、モーター５２が作動して回転ギヤ５１を駆動して回転させ、それによって主動ギヤ５５が回転し、回しロッド６１を下方に押して推しブロック５８を上昇させ、それによって伝動ギヤ５９の左右の側が従動ギヤ５４と主動ギヤ５５と噛み合っており、それによって従動ギヤ５４がネジ軸１３を回転連動させ、昇降柱１５の頂端が伸びて外部空間を出て、それによって蝶番２２がトーションバネ２４の作用の下で広がり、蝶番２２が広がっている過程と広がった後に、押しロッド４９を下方に押し、回転ロッド４８によって閉鎖板４７が上昇し、抜き穴４５を開け、左側の位置制限ブロック１７が当接電気ブロック３５と当接した時、電気貯蔵ブロック３４が導電線１９と通電し、それによって照明ライト２０が光って照明でき、この時に右側の位置制限ブロック１７が下側のスライドブロック４１に圧力をかけて下側のスライドブロック４１を下側の表示灯４４と当接させ、それによって下側の表示灯４４が光り、位置制限ブロック１７が当接電気ブロック３５と押しブロック３８と同期に当接するまで上昇した時、連結ブロック３０が左方へ移動し、通電ブロック３２が導電ブロック２８と当接し、それによって電気貯蔵ブロック３４が加熱板２７に給電し、アロマチャンバ２５の中の水を加熱し、香りが抜き穴４５を通して外部空間に発散し、この時に、右側の位置制限ブロック１７が二つのスライドブロック４１に圧力をかけて二つのスライドブロック４１を右方へ移動させ、それによって二つの表示灯４４が光り、位置制限ブロック１７が押しブロック３８と当接して当接電気ブロック３５との当接から離れるまで上昇した時、電気貯蔵ブロック３４が単独に加熱板２７に給電し、この時に、上側の表示灯４４が単独に光り、ニーズによって自主的に照明又はアロマ又は照明且つアロマの使用機能を選ぶことができ、その後、回しロッド６１を放し、それによって伝動ギヤ５９が従動ギヤ５４と主動ギヤ５５との噛み合いから離脱し、ネジ軸１３の回転が停止し、昇降柱１５の昇降が停止し、回転柱１２が回転し、それによって照明ライト２０が回転して照明し、リボン２３が照明ライト２０の回転とともに空気の中で揺れ動き、アロマチャンバ２５の中の香りを発散させる。
【００２０】
本発明の有益な効果は：本発明は構成が簡単で、操作が便利であり、照明ライトが上昇と回転することができ、照明ライトの外側の蝶番は照明ライトを囲む又は広げることができ、そのほか、工芸品電気スタンドの外周にはアロマ装置が設置され、照明ライトが回転する過程において、香りを発散することができ、本電気スタンドが多機能を持ち、形が特別で、工芸の観賞性と実用性とを持つ。
【００２１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020184508.tif 000003
【図２】
2020184508.tif 000004
【図３】
2020184508.tif 000005
【図４】
2020184508.tif 000006
【図５】
2020184508.tif 000007